(57)【要約】【課題】  ＩＤ番号の悪用によりハードディスクのデータ更新が不正に行われるのを防止する。【解決手段】  地図データ更新機能（１１）を有するとともに、地図データの更新に連動して変化する桁を含む可変ＩＤ番号（１２）を有するナビゲーション装置（１）と、ナビゲーション装置側からの要求により、前記地図データ更新機能を活性化する活性化手段を提供するサーバー（２）とを備え、前記活性化手段の有するＩＤ番号がナビゲーション装置のＩＤ番号と一致したとき、前記地図データ更新機能が活性化し、地図データの更新を行うものである。【選択図】        図１
2007047212.tif 000002
【特許請求の範囲】
【請求項１】
地図データ更新機能を有するとともに、地図データの更新の終了に連動して変化する桁を含む可変ＩＤ番号を有するナビゲーション装置と、
ナビゲーション装置側からの要求により、前記地図データ更新機能を活性化する活性化手段を提供するサーバーとを備え、
前記活性化手段の有するＩＤ番号がナビゲーション装置のＩＤ番号と一致したとき、前記地図データ更新機能が活性化し、地図データの更新を行うことを特徴とする地図データ更新システム。
【請求項２】
前記ナビゲーション装置は、ハードディスクとＤＶＤデッキとを有しており、ＤＶＤディスク経由でハードディスクの地図データを更新することを特徴とする請求項１記載のシステム。
【請求項３】
前記地図データ更新機能は、データ更新終了時に非活性になることを特徴とする請求項１または２記載のシステム。
【発明の詳細な説明】
【技術分野】
【０００１】
本発明はナビゲーション装置の地図データを更新するシステムに関する。
【背景技術】
【０００２】
ハードディスクにナビゲーションプログラムと地図データを格納して動作するナビゲーション装置において、地図データベースの更新には以下の方法がある。
（イ）ハードディスクをナビゲーション装置本体から取り外し、直接データ更新を実施してハードディスクをナビゲーション装置本体に戻す。
（ロ）ナビゲーション装置本体の外部通信コネクタを経由してハードディスク内のデータ更新を実施する。
上記（イ）の方法では、ハードディスクをナビゲーション装置本体から取り外している期間は、ナビゲーション装置を使用することができない。（ロ）の方法は、ハードディスクをナビゲーション装置本体から取り外すことはないものの、外部通信コネクタを経由して更新する時の専用ツール（装置）がデータ更新拠点に必要になり、コストがかかる。
【０００３】
ところで、ＡＶＮ（Audio Visual Navigation ）では、ハードディスクとＤＶＤデッキの両方のドライブがあり、ＤＶＤディスク経由でハードディスクのデータ更新が可能であるので、ハードディスクを取り外すことなく、かつ専用ツール無しでの地図データの更新が可能である。しかしながら、ＤＶＤディスクを使いまわすことにより、不正にデータ更新ができてしまうという問題がある。この対策として、ナビゲーション装置のユーザにパスワード（ＩＤ番号）を与えておき、入力パスワードと一致するときのみＤＶＤディスク経由でハードディスクのデータ更新を可能にしたものも提案されている（特許文献１）。
【特許文献１】特開２００４−１５０８６７号公報
【発明の開示】
【発明が解決しようとする課題】
【０００４】
しかし特許文献１の方法では、一旦取得したＩＤ番号が悪用される可能性があり、ハードディスクのデータ更新が自由にできてしまうという問題がある。
【課題を解決するための手段】
【０００５】
本発明は上記課題を解決しようとするもので、ＩＤ番号の悪用によりハードディスクのデータ更新が不正に行われるのを防止することを目的とする。
本発明は、地図データ更新機能を有するとともに、地図データの更新の終了に連動して変化する桁を含む可変ＩＤ番号を有するナビゲーション装置と、ナビゲーション装置側からの要求により、前記地図データ更新機能を活性化する活性化手段を提供するサーバーとを備え、前記活性化手段の有するＩＤ番号がナビゲーション装置のＩＤ番号と一致したとき、前記地図データ更新機能が活性化し、地図データの更新を行うことを特徴とする。
【発明の効果】
【０００６】
本発明は、サーバーから提供される活性化手段（専用ソフト）のＩＤ番号がナビゲーション装置の可変ＩＤ番号と一致するときのみ地図データの更新が可能になり、地図データの更新が終了すると可変ＩＤ番号が変化して外部には知られないため、ＩＤ番号が悪用されることはなく、不正なデータの更新を防止することができる。
【発明を実施するための最良の形態】
【０００７】
以下、本発明の実施の形態について説明する。
図１は本実施形態のシステム構成の例を説明する図である。
本実施形態におけるナビゲーション装置１は、ハードディスク（ＨＤＤ）、ＤＶＤ両方のドライブを有するＡＶＮ装置であり、ＤＶＤを経由してＨＤＤのデータ更新を行う地図データ更新機能１１を有し、地図データの更新に連動して変化する桁（例えば、下二桁）を含む可変ＩＤ番号１２がフラッシュメモリに書き込まれている。地図データ更新機能１１は、管理センタのサーバー２から提供される活性化手段（専用ソフト）によってのみ活性化（オン）し、データ更新完了後非活性（オフ）に切り換えられ、デフォルトはオフである。
【０００８】
地図データ更新機能１１をオフからオンへ切り換える場合、例えば、ディーラーからメールでナビゲーション装置１のＩＤ番号を管理センタのサーバー２へ連絡してもらい、そのＩＤ番号専用（ナビゲーション装置１のＩＤ番号を有する）のソフト（活性化手段）を添付したメールをサーバー２から自動返信で受け取る。受け取ったＩＤ番号専用のソフトを、例えばＣＤーＲに焼き、そのＣＤーＲをナビゲーション装置１にセットする。そして、ＣＤーＲのＩＤ番号がナビゲーション装置のＩＤ番号と一致する場合にのみ、地図データ更新機能１１がＯＮになり、別途配信されている地図アップデートＤＶＤ（プレス品）３をナビゲーション装置１のＤＶＤデッキにセットすると、ＤＶＤ３のデータでＨＤＤの地図データが更新される。地図データが更新されると、可変ＩＤ番号１２の所定の桁が変化するため、同一の専用ソフトを用いてもＩＤ番号不一致となり、アップデート機能操作は１回のみに限定され、悪用される恐れない。また、管理センタ側ではメール受け付けにより地図データの購入数を管理することができる。
【０００９】
次に、図２、図３のフローにより地図データのアップデート処理を説明する。
図２において、ユーザーがディーラーにおいて地図データアップデート権を購入し（ステップＳ１）、ディーラーからユーザー所有のナビゲーション装置のＩＤ番号をメールで管理センターのサーバーへ送信する（ステップＳ２）。送信したＩＤ番号専用のソフトをディーラーがメールで受け取り（ステップＳ３）、ディーラーはその専用ソフトをＣＤ−Ｒに焼き、専用ソフトディスクを作成する（ステップＳ４）。この専用ソフトディスクをナビゲーション装置のＤＶＤデッキに挿入し、地図データアップデート機能をＯＮにして、ＨＤＤの地図データをアップデートする（ステップＳ５）。
【００１０】
図３は地図データのアップデート処理を説明する図である。
ステップＳ１で作成した専用ソフトディスクをナビゲーション装置のＤＶＤデッキに挿入し（ステップＳ１１）、ナビゲーション装置と専用ソフトディスクのＩＤ番号が一致するか否かチェックし（ステップＳ１２）、一致しない場合は処理は終了し、一致する場合にはナビゲーション装置のアップデート機能をオンする（ステップＳ１３）。そして、別途配信されている地図アップデートＤＶＤをセットして、ＨＤＤの地図データを更新する（ステップＳ１４）。地図データアップデート処理が終了したか否かチェックし（ステップＳ１５）、アップデート処理が終了すると可変ＩＤ番号の所定の桁が変化し（ステップＳ１６）、次いでアップデート機能がオフする（ステップＳ１７）。                          
【００１１】
なお、上記の例においては、サーバーからメールで送信された専用ソフトをＣＤ−Ｒに焼きつけるようにしたが、これに替えてスマートカード、コンパクトフラッシュ等に書き込むようにしてもよく、或いはサーバーから直接ナビゲーション装置に対して通信回線を通して専用ソフトを送信するようにしてもよい。
【産業上の利用可能性】
【００１２】
本発明によれば、ＩＤ番号の悪用によりハードディスクのデータ更新が不正に行われるのを防止することができるので産業上の利用価値は大きい。
【図面の簡単な説明】
【００１３】
【図１】本実施形態のシステム構成の例を説明する図である。
【図２】地図データのアップデート処理フローを説明する図である。
【図３】地図データのアップデート処理フローを説明する図である。
【符号の説明】
【００１４】
１…ナビゲーション装置、１１…地図データ更新機能、１２…可変ＩＤ番号、２…サーバー、３…ＤＶＤディスク。
【図１】
2007047212.tif 000003
【図２】
2007047212.tif 000004
【図３】
2007047212.tif 000005